(57)【要約】【課題】  外容器内に内容器が収納される二重容器において、外容器に周方向の位置決めを容易にする構成を備える二重容器を創出することを課題とする。【解決手段】  首筒部２３に形成された容器体ネジ部２４と、首筒部２３の複数の位置に容器体ネジ部２４の一部を欠損させることにより形成されたネジ欠部２５とから成る断続ネジ構造を有し、内容物を収容する外容器２と、開口端に延設されたフランジ部３３の端縁から垂下設する環状周壁部３４と、環状周壁部３４の下端に設けられてネジ欠部２５に嵌合すると共に外面に容器体ネジ部２４に連続するネジ形状が形成された複数の掴み部３５とを有し、内容器３の収納が可能な外容器２と、外容器２に被着される外装蓋４と、を備える二重容器であって、外容器２の首筒部２３に、周方向の１箇所に位置決め凹部２８ａが形成された円環部２８が周設される構成とする。【選択図】  図２
2019131247.tif 000002
【特許請求の範囲】
【請求項１】
首筒部（２３）に形成された容器体ネジ部（２４）と、前記首筒部（２３）の複数の位置に前記容器体ネジ部（２４）の一部を欠損させることにより形成されたネジ欠部（２５）とから成る断続ネジ構造を有し、内容物を収容する外容器（２）と、
開口端に延設されたフランジ部（３３）の端縁から垂下設する環状周壁部（３４）と、該環状周壁部（３４）の下端に設けられて前記ネジ欠部（２５）に嵌合すると共に外面に前記容器体ネジ部（２４）に連続するネジ形状が形成された複数の掴み部（３５）とを有し、前記内容器（３）の収納が可能な外容器（２）と、
前記外容器（２）に被着される外装蓋（４）と、を備える二重容器であって、
前記外容器（２）の首筒部（２３）に、周方向の１箇所に位置決め凹部（２８ａ）が形成された円環部（２８）が周設されていることを特徴とする二重容器。
【請求項２】
位置決め凹部が、首筒部（２３）と胴壁部（２１）との間で且つネジ欠部（２５）の直下の位置に形成されている請求項１記載の二重容器。
【請求項３】
位置決め凹部が、径方向で且つ外容器（２）のパーティングライン（ＰＬ）に対して直交する位置に形成されている請求項１又は２記載の二重容器。
【請求項４】
円環部（２８）が、首筒部（２３）に形成された容器体ネジ部（２４）以上で且つ胴周壁（２１）よりも小さな外径寸法を有して形成されている請求項１乃至３のいずれか一項記載の二重容器。
【請求項５】
円環部（２８）が、胴壁部（２１）と首筒部（２３）の間に周設されたネックリング（２８Ａ）である請求項１乃至４のいずれか一項記載の二重容器。
【請求項６】
円環部（２８）が、胴壁部（２１）と首筒部（２３）の間に周設された環状段差部（２８Ｂ）である請求項１乃至４のいずれか一項記載の二重容器。
【発明の詳細な説明】
【技術分野】
【０００１】
本発明は、外容器内に内容器が収容される二重容器に関する。
【背景技術】
【０００２】
従来から、クリーム等の内容物が収容される内容器と、該内容器を着脱自在に収納する外容器と、を備える二重容器が知られている。このような内容器は、外容器に対して出し入れ可能なレフィル容器であり、消費者によって外容器内に収納された内容器を取り外して新たな内容器に交換することで、外容器の再利用が図られる（例えば、特許文献１参照）。
【０００３】
このような二重容器においては、外容器の表面に様々な模様や文字等を印刷又は転写（以下、印刷等という）することによる加飾を行ってデザイン性を向上させる試みが行われる。外容器２への加飾は、外容器を加飾用の受け冶具に装着した状態で行われるが、模様や文字等がすべての外容器において同じ位置に印刷等されるようにするため、受け冶具に対する外容器の周方向の位置決めを正確に行う必要がある。
図９は従来例としての外容器を加飾用の受け冶具に装着した直後で位置決め前の状態を示す部分的な断面図である。例えば、図９に示すように、外容器１００の首筒部１０１にネジ部１０２を外容器２の軸線方向に沿って分断するネジ欠部１０３を形成すると共に、受け冶具１１０側に位置決めピン１１１を配置し、受け冶具１１０に装着した状態で外容器１００を周方向に回転させ、位置決めピン１１１がネジ欠部１０３に嵌り込むことにより、外容器１００の周方向の位置決めを行うことが一般的に行われている。
【先行技術文献】
【特許文献】
【０００４】
【特許文献１】特開２０１１−１１６４０１号公報
【発明の概要】
【発明が解決しようとする課題】
【０００５】
ところで、図１０は従来例として、本願出願人が先に特許出願（特願２０１６−１６９１２１）した二重容器の内容器と外容器との分解状態を示す側面図である。
この二重容器は、内容物を収容する内容器３と、内容器３を収納する外容器２とを備えており、外容器２の首筒部２３に容器体ネジ部２４を設けると共に、この容器体ネジ部２４を断続ネジ構造とするネジ欠部２５が首筒部２３の外周面の軸対称となる２箇所の位置に設けられている。また内容器３の軸対称となる２箇所の位置には、外鍔状のフランジ部３３の端縁から環状周壁部３４が垂下設され、更に略矩形の板片の掴み部３５が延長垂下設されている。内容器３を外容器２に収納すると、掴み部３５が外容器２のネジ欠部２５に夫々挿入される。掴み部３５の表面には、外容器２側の容器体ネジ部２４と連続する形態で、容器体ネジ部２４と同じネジ形状を構成するスベリ止め３６が設けられている。
【０００６】
しかし、このような二重容器の外容器２に印刷等を行う場合において、上記同様に外容器２を位置決めピン１１１を備えた受け冶具１１０に装着した状態においてに、外容器２を周方向に回転させて位置決めしようとすると、位置決めピン１１１は外容器２の軸対称となる２箇所に形成されているネジ欠部２５の双方に夫々嵌り込むことが可能であることから、外容器２の周方向の位置決めを確実に行うことができないという問題があった。
【０００７】
本発明は、上記した従来技術における問題点を解消すべく、外容器内に内容器が収納される二重容器において、加飾用の受け冶具に装着した外容器の周方向の位置決めを容易に行うことを可能とする二重容器を創出することを課題とする。
【課題を解決するための手段】
【０００８】
上記課題を解決するための手段のうち、本発明の主たる手段は、
首筒部に形成された容器体ネジ部と、首筒部の複数の位置に容器体ネジ部の一部を欠損させることにより形成されたネジ欠部とから成る断続ネジ構造を有し、内容物を収容する外容器と、
開口端に延設されたフランジ部の端縁から垂下設する環状周壁部と、環状周壁部の下端に設けられてネジ欠部に嵌合すると共に外面に容器体ネジ部に連続するネジ形状が形成された複数の掴み部とを有し、内容器の収納が可能な外容器と、
外容器に被着される外装蓋と、を備える二重容器であって。
外容器の首筒部に、周方向の１箇所に位置決め凹部が形成された円環部が周設されていることを特徴とする、と云うものである。
【０００９】
本発明の本発明の主たる手段では、複数の箇所にネジ欠部が形成された構成の外容器であっても、外容器の周方向に位置決めを、周方向の１箇所に設けた位置決め凹部のみで行うことができる。
【００１０】
また本発明の他の手段は、上記手段において、位置決め凹部が、首筒部と胴壁部との間で且つネジ欠部の直下の位置に形成されている、との手段を加えたものである。
【００１１】
上記手段では、周方向におけるネジ欠部の形成位置と位置決め凹部の形成位置とを一致させることができ、これにより位置決めピンは容器体ネジ部に当接することなく位置決め凹部内に嵌り込むことが可能となる。
【００１２】
また本発明の他の手段は、上記いずれかの手段において、位置決め凹部が、径方向で且つ外容器のパーティングラインに対して直交する位置に形成されている、との手段を加えたものである。
【００１３】
上記手段では、位置決め凹部を形成する円環部の両端面を、離型時に金型が移動する方向である直交方向に沿って形成することができるため、位置決め時に位置決めピンが位置決め凹部から外れてしまうことを防止できる。
【００１４】
また本発明の他の手段は、上記いずれかの手段において、円環部が、首筒部に形成された容器体ネジ部以上で且つ胴周壁よりも小さな外径寸法を有して形成されている、との手段を加えたものである。
【００１５】
上記手段では、上記手段では、位置決め時において、位置決めピンを円環部に形成されている位置決め凹部に確実に嵌り込ませることが可能となる。
【００１６】
また本発明の他の手段は、上記いずれかの手段において、円環部が、胴壁部と首筒部の間に周設されたネックリングである、との手段を加えたものである。
【００１７】
あるいは、上記いずれかの手段において、円環部が、胴壁部と首筒部の間に周設された環状段差部である、との手段を加えたものである。
【００１８】
上記いすれの手段においても外容器の外観デザインの一体感を保ちつつ、位置決めを行うための位置決め凹部を外容器に形成することが可能となる。
【発明の効果】
【００１９】
本発明では、外容器の円環部の１箇所に形成した位置決め凹部を使用して、周方向の位置決めを行うことができるため、複数の箇所にネジ欠部が形成された外容器であっても周方向に位置決めを確実に行うことができる。
また位置決め凹部をネックリング又は環状段差部に形成することにより、外容器の外観デザインの一体感を保つことができる。
【図面の簡単な説明】
【００２０】
【図１】本発明の第１実施例を示す二重容器の正面図である。
【図２】第１実施例の側面図である。
【図３】第１実施例において内容器と外容器との分解状態を示す正面図である。
【図４】第１実施例において内容器と外容器との分解状態を示す側面図である。
【図５】第１実施例の外容器を加飾用の受け冶具に装着した状態を示し、Ａは装着直後で位置決め前の状態を示す部分的な断面図、Ｂは位置決め後の状態を示す半断面図である。
【図６】二重容器に本実施例とは異なるネジ欠部を設けた例を示し、Ａは二重容器の平面図、Ｂはその側面図である。
【図７】本発明の第２実施例を示す二重容器の側面図である。
【図８】第２実施例の外容器を加飾用の受け冶具に装着した状態を示し、Ａは装着直後で位置決め前の状態を示す部分的な断面図、Ｂは位置決め後の状態を示す半断面図である。
【図９】従来例としての外容器を加飾用の受け冶具に装着した直後で位置決め前の状態を示す部分的な断面図である。
【図１０】従来例として、本願出願人が先に特許出願した二重容器の内容器と外容器との分解状態を示す側面図である。
【発明を実施するための形態】
【００２１】
以下、本発明の実施の形態について図面を参照しつつ説明する。
図１は本発明の第１実施例を示す二重容器の正面図、図２は第１実施例の側面図、図３は第１実施例において内容器と外容器との分解状態を示す正面図、図４は第１実施例において内容器と外容器との分解状態を示す側面図、図５は第１実施例の外容器を加飾用の受け冶具に装着した状態を示し、Ａは装着直後で位置決め前の状態を示す部分的な断面図、Ｂは位置決め後の状態を示す半断面図、図６は二重容器に本実施例とは異なるネジ欠部を設けた例を示し、Ａは二重容器の平面図、Ｂはその側面図である。
【００２２】
図１に示すように、本発明に係る二重容器１は、クリーム等の内容物の収容が可能な内容器３と、その内容器３を内部に収納可能な外容器２と、外容器２の上部に被着される外装蓋４と、を有して構成されている。
図２、図３又は図４に示すように、外容器２及び内容器３は、それぞれ有底筒状に形成され、各中心軸線が共通軸上に位置するように配設されている。以下、この共通軸を軸線Ｏといい、軸線Ｏ方向に沿って後述する外容器２の底壁部２２及び内容器３の底壁部３２側を下側といい、その反対側を上側という。また軸線Ｏに直交する方向を径方向といい、軸線Ｏの回りに周回する方向を周方向という。
【００２３】
外容器２は、上端が開放された有底筒状の外装容器であり、軸線Ｏに沿って延設された略円筒形状の胴壁部２１と、その胴壁部２１の下側部分に設けられた底壁部２２と、を備えている。この外容器２は、例えば、ポリエステル系、ポリスチレン系、ポリオレフィン系等の合成樹脂や、ガラス又は金属等からなり、例えば射出成形、ブロー成形、プレス成形等によって成形される。
【００２４】
胴壁部２１の上側には、外周面が全周に亘って縮径する首筒部２３が起立設されている。この首筒部２３の外周面に雄ネジからなる容器体ネジ部２４が設けられており、この容器体ネジ部２４を断続ネジ構造とすることによって、首筒部２３の外周面にネジ欠部２５が形成されている。図３に示すように、ネジ欠部２５は後述の内容器３の掴み部３５を挿入するために、首筒部２３の上部を側面視凹状に切り欠いた切欠部で形成されている。ネジ欠部２５は、首筒部２３の上端から軸線Ｏ方向に沿って下方に延在され、首筒部２３の内周部分を残した状態で外周部分のみが部分的に切り欠かれている。すなわち、ネジ欠部２５は、図示しない平面視において径方向の外側が開放された凹形状であり、径方向内側は胴壁部２１の内周面に沿って薄肉状に形成されている。このような構成からなるネジ欠部２５は、軸線Ｏを挟んで軸対称となる２箇所の位置に夫々形成されている。首筒部２３の上側には、首筒部２３の内周面を上方に延在させた形態で口筒部２６が形成され、この口筒部２６の外周面の周方向の複数の位置は外容器側係止突起２７が突設されている。
更に首筒部２３の外周面上で且つネジ欠部２５の下側には、円環部２８の一態様としてのネックリング２８Ａが周設され、このネックリング２８Ａにはその一部を切り欠いて分断することにより形成される位置決め凹部２８ａがネジ欠部２５の直下の位置に設けられている（図２、図４参照）。ネックリング２８Ａの外径寸法は、容器体ネジ部２４（容器体ネジ部２４に設けられた雄ネジ）の外径寸法以上であり且つ胴壁部２１よりも小さな外径寸法で形成されている。更に、位置決め凹部２８ａをネジ欠部２５の直下の位置に設けることにより、外容器２の外観デザインの一体感を保つことが可能となっている。
【００２５】
図３及び図４に示されるように、内容器３は、外容器２に対して出し入れ自在な容器であり、消費者によって適宜交換可能なレフィル容器である。内容器３の概略構成としては、軸線Ｏに沿って延設された略円筒形状の周壁部３１と、その周壁部３１の下側部分に設けられた底壁部３２と、を備えている。内容器３は、上端に開口部を有する有底筒状の内装容器であり、例えばポリエステル系、ポリスチレン系、ポリオレフィン系等の合成樹脂からなり、例えば射出成形やブロー成形等によって成形される。
【００２６】
周壁部３１の上端部には、外容器２の口筒部２６の上端面に装着される外鍔状のフランジ部３３が形成されている。このフランジ部３３の端縁から環状周壁部３４が垂下設され、この環状周壁部３４には、内容器３が外容器２内に挿入したときに上記したネジ欠部２５に嵌め込まれる掴み部３５が延長垂下設されている。この掴み部３５は、環状周壁部３４の下端から軸方向に沿って垂下された略矩形の板片であり、ネジ欠部２５同様に、軸線Ｏを挟んで軸対称となる２箇所の位置に形成されている。掴み部３５の外面には、掴み部３５をネジ欠部２５に嵌め込んだときに、外容器２側の容器体ネジ部２４と連続して雄ネジを構成できるように、容器体ネジ部２４と同じネジ形状から成るスベリ止め３６が形成されている。このスベリ止め３６の形状を、ネジ形状とすることで、外装蓋４を外した容器使用時においてネジ部が連続しているように見えることで外観デザインの一体感を保ちつつ、掴み部３５を指先で掴んだ際の滑り止め効果を発揮させることができる。
【００２７】
環状周壁部３４の内周面には、外容器側係止突起２７に対向する位置に内容器側係止突起３７が突設されており、内容器３を外容器２内に収納する際に、内容器側係止突起３７が外容器側係止突起２７を下方に乗り越えて係合することで、外容器２の口筒部２６の上端面に内容器３のフランジ部３３が嵌合する構成であり、使用時等において内容器３が外容器２から脱落すること防止できるようになっている。
尚、この内容器３の周壁部３１の外径は、外容器２の胴壁部２１の内径と同径又はそれよりも若干小さい寸法で形成されており、内容器３は外容器２の内側に容易に収納することが可能となっている。
【００２８】
外装蓋４は、外容器２の首筒部２３に螺着される有頂筒状のオーバーキャップ体であり、軸線Ｏに対して直交に配設された円盤状の天壁部４１と、天壁部４１の端縁から垂下された円筒形状の周壁部４２と、を有する。周壁部４２の内周面には、外容器２の容器体ネジ部２４及び内容器３のネジ形状のスベリ止め３６の双方に螺合可能な雌ネジから成る外装蓋ネジ部４３が形成されている。また、外装蓋４の内側には、円盤状のパッキン５が嵌合されている。このパッキン５は、外装蓋４の天壁部４１の下面に接合されており、パッキン５の外周部が、外装蓋４の天壁部４１の下面と内容器３のフランジ部３３の上端面との間に挟み込まれてシールされ、内容器３内が密封されている。
【００２９】
次に、上記構成からなる二重容器の外容器２の外周面に印刷等による加飾を行う場合に行われる外容器２の周方向の位置決めについて説明する。
図５は第１実施例の外容器を加飾用の受け冶具に装着した状態を示し、Ａは装着直後で位置決め前の状態を示す側面図、Ｂは位置決め後の状態を示す半断面図である。
図５Ａに示すように、外容器２への加飾は、外容器２を加飾用の受け冶具５０に装着した状態で行われる。
受け冶具５０は、基部５１と、基部５１から突出して外容器２の内部に挿入され、外容器２を周方向に回転自在に支持する支持部５２と、基部５１に設けられた回転軸５３を中心に、先端の位置決めピン５４ａが揺動自在に設けられた位置決め部材５４と、基部５１と位置決め部材５４との間に設けられて位置決めピン５４ａを図示反時計回り方向に付勢するコイルスプリングなどからなる付勢部材５５とを有して構成されている。基部５１側から支持部５２方向に延出された位置決めピン５４ａは、回転軸５３を中心に図示反時計回り方向に付勢された状態で設置されている。このため、外容器２を受け冶具５０の支持部５２に装着すると、位置決めピン５４ａが外容器２の容器体ネジ部２４を軸線Ｏ方向に押圧する状態に設定される。
【００３０】
ここで、上述したように、ネックリング２８Ａの外径寸法は、容器体ネジ部２４以上、すなわち容器体ネジ部２４と同じ外径寸法又は容器体ネジ部２４よりも大きな外径寸法を有して形成されている。このため、位置決めピン５４ａはネックリング２８Ａ又は容器体ネジ部２４に当接し、図示しない水平姿勢（ネックリング２８Ａと容器体ネジ部２４とが同寸法の場合）又は図５Ａに示すように先端が少し浮いた右肩下がりの傾き姿勢に設定される。
そして、この状態から外容器２を軸線Ｏ回りに回転させる。すると、図５Ｂに示すように、位置決めピン５４ａが位置決め凹部２８ａの真上の位置に達したときに、位置決めピン５４ａは位置決め凹部２８ａに嵌り込み、これ以上の外容器２の回転を制限するため、外容器２の周方向の位置決めをすることができる。
尚、位置決めピン５４ａが位置決め凹部２８ａの真上の位置に達した位置は、位置決めピン５４ａがネジ欠部２５と対向する位置でもあるため、位置決めピン５４ａは容器体ネジ部２４に当接することなく、位置決め凹部２８ａに嵌り込むことができる。
また、位置決めピン５４ａが位置決め凹部２８ａを有しない側（軸対称となる逆側）のネジ欠部２５に対向したとしても、この位置には位置決め凹部２８ａが形成されていないため、外容器２の位置決めが達成されることがない。すなわち、この外容器２では、周方向の１箇所に設けた位置決め凹部２８ａのみで確実に位置決めすることができるため、その後の印刷等を正確に行うことが可能となる。
【００３１】
ところで、外容器２は一対の金型を用いる射出成形法で形成されるが、成形後に一対の金型を離して離型すると、外容器２の胴壁部２１の表面うち、軸対称となる２箇所の位置に縦方向に直線状に延びるパーティングラインＰＬが薄く形成される。ここで、例えば図６Ａ、Ｂに示すように、パーティングラインＰＬに対して直交する位置から外れた位置Ｂに位置決め凹部２８ａを形成した場合には、位置決め凹部２８ａを間に挟んで周方向に対向するネックリング２８Ａの両端面（円環部の両端面）２８ｂは離型する方向（図６Ａに示す矢印方向）に沿って形成されことになる。そして、両端面２８ｂのうち、軸線Ｏから見たときに一方の端面２８ｂは緩い傾斜角θで形成されてしまうことになる。このため、このような位置決め凹部２８ａを有する外容器２に対して上記同様の位置決めを行うと、外容器２の回転方向によっては一度位置決め凹部２８ａに嵌り込んだ位置決めピン５４ａが、その後の回転中に緩い傾斜角θからなる一方の端面２８ｂから外れてしまい、結果として位置決めができなくなる虞がある。
これに対し、位置決め凹部２８ａを、径方向で且つパーティングラインＰＬに対して直交する位置Ａに形成した場合には、両端面２８ｂは共に離型する方向に沿って平行に形成されるため、緩い傾斜角が形成されることがなくなり、その結果、外容器２の回転方向によらなくとも回転時に位置決めピン５４ａが位置決め凹部２８ａから外れ難くすることができることから、外容器２の位置決めを確実に行うことが可能となる。よって、位置決め凹部２８ａは径方向で且つパーティングラインＰＬに対して直交する位置Ａに形成される構成が好ましい。
【００３２】
図７は本発明の第２実施例を示す二重容器の側面図、図８は第２実施例の外容器を加飾用の受け冶具に装着した状態を示し、Ａは装着直後で位置決め前の状態を示す部分的な断面図、Ｂは位置決め後の状態を示す半断面図である。
図７に第２実施例として示す二重容器が、上記第１実施例と異なる点は、位置決め凹部２８ａが形成される円環部２８の構成にあり、その他の構成及び効果は上述の第１実施例と同様である。このため以下の説明においては、主として上記第１実施例と異なる点について説明する。尚、第１実施例で用いた部材と同一の部材については同一の符号を付して説明する
【００３３】
図７に示すように第２実施例の二重容器は、ネックリング２８Ａの代わりに環状段差部２８Ｂを有して構成されている。環状段差部２８Ｂは胴壁部２１と首筒部２３の間に、胴壁部２１よりも小さく且つ首筒部２３よりも大きな外径寸法を有して構成される環帯状の段差として形成されている。
また環状段差部２８Ｂの外径は、容器体ネジ部２４の外径寸法以上で且つ胴壁部２１よりも小さな外径寸法で形成されている。このため、図８Ａに示すように、このような外容器２を受け冶具５０の支持部５２に装着すると、第１実施例同様に、位置決めピン５４ａは、容器体ネジ部２４又は環状段差部２８Ｂに当接し、図示しない水平姿勢（環状段差部２８Ｂと容器体ネジ部２４とが同寸法の場合）又は図８Ａに示すように先端が少し浮いた右肩下がりの傾き姿勢に設定される。
そして、上記同様に外容器２を軸線Ｏ回りに回転させると、図８Ｂに示すように、環状段差部２８Ｂの位置決め凹部２８ａが真上の位置に達したときに、位置決めピン５４ａが位置決め凹部２８ａに嵌り込み、これ以上の外容器２の回転を制限し、外容器２の周方向の位置決めを確実に行うことが可能となる。
【００３４】
以上、実施例に沿って本発明の構成とその作用効果について説明したが、本発明の実施の形態は上記実施例に限定されるものではない。
例えば上記実施例では、外容器２側のネジ欠部２５及びこれに嵌合する内容器３側の掴み部３５が軸線Ｏを挟んで軸対称となる２箇所の位置に夫々形成された構成を示して説明したが、ネジ欠部２５と掴み部３５とが一対一で互いに対応配置される構成であるならば、２箇所以上の複数の位置に形成される構成であっても良い。
【００３５】
また上記実施例では、円環部２８を構成するネックリング２８Ａ又は環状段差部２８Ｂの外径寸法が容器体ネジ部２４以上である場合を示して説明したが、容器体ネジ部２４より小さな外径寸法とすることもできる。この場合、外容器２を受け冶具５０の支持部５２に装着すると、位置決めピン５４ａは容器体ネジ部２４に当接する。そして、外容器２を軸線Ｏ回りに回転させると、位置決めピン５４ａは容器体ネジ部２４上を周方向に摺動し、ネジ欠部２５に至ったときに容器体ネジ部２４からネックリング２８Ａ又は環状段差部２８Ｂ上に落ち込む。続けて外容器２を回転させると、位置決めピン５４ａは、ネックリング２８Ａ又は環状段差部２８Ｂ上を摺動し、位置決め凹部２８ａと対向する位置に達したときに位置決め凹部２８ａ内に嵌り込むことになる。よって、上記同様外容器２の周方向の位置決めをすることができる。
【産業上の利用可能性】
【００３６】
本発明は、外容器を位置決めして印刷等を施す必要のある二重容器の分野における用途展開を更に広い領域で図ることができる。
【符号の説明】
【００３７】
１    ；  二重容器
２    ；  外容器
３    ；  内容器
４    ；  外装蓋
５    ；  パッキン
２１  ；  胴壁部
２２  ；  底壁部
２３  ；  首筒部
２４  ；  容器体ネジ部
２５  ；  ネジ欠部
２６  ；  口筒部
２７  ；  外容器側係止突部
２８  ；  円環部
２８Ａ；  ネックリング（円環部）
２８Ｂ；  環状段差部（円環部）
２８ａ；  位置決め凹部
２８ｂ；  円環部の端面
３１  ；  周壁部
３２  ；  底壁部
３３  ；  フランジ部
３４  ；  環状周壁部
３５  ；  掴み部
３６  ；  滑り止めリブ
３７  ；  内容器側係止突部
４１  ；  天壁部
４２  ；  周壁部
４３  ；  外装蓋ネジ部
５０  ；  加飾用の受け冶具
５１  ；  基部
５２  ；  支持部
５３  ；  回転軸
５４  ；  位置決め部材
５４ａ；  位置決めピン
５５  ；  付勢部材
Ｏ    ；  軸線
ＰＬ  ；  パーティングライン
θ    ；  緩い傾斜角
【図１】
2019131247.tif 000003
【図２】
2019131247.tif 000004
【図３】
2019131247.tif 000005
【図４】
2019131247.tif 000006
【図５】
2019131247.tif 000007
【図６】
2019131247.tif 000008
【図７】
2019131247.tif 000009
【図８】
2019131247.tif 000010
【図９】
2019131247.tif 000011
【図１０】
2019131247.tif 000012